(57)【要約】【課題】従来品に比べて部品点数を減少でき、また被挟持体への猫用爪研ぎ器の取り付け作業の容易化、この取り付け時間の短縮化が図れ、被挟持体に猫用爪研ぎ器を堅固に固定できる猫用爪研ぎ器を提供する。【解決手段】猫用爪研ぎ器１０は、猫が爪を押し当てる爪研ぎ具１１と、平板状のブリッジ部１２の長さ方向の両端部に配された一対の連結アーム部１３を介して、爪研ぎ具１１を一側方から挟み込んだ状態で支持する門形の爪研ぎ具ホルダ１４と、ブリッジ部１２の長さ方向の中間部分に取り付けられることで、ブリッジ部１２との間にキャットケージ１６のパネル１７を挟持した状態で、このパネル１７に爪研ぎ具１１を固定する大判ねじ１８とを備えた。【選択図】図１
0003230644.tif 000002
【実用新案登録請求の範囲】
【請求項１】
猫が爪を押し当てて研ぐための爪研ぎ具と、
平板状のブリッジ部の長さ方向の両端部に配された一対の連結アーム部を介して、前記爪研ぎ具を一側方から挟み込んだ状態で支持する門形の爪研ぎ具ホルダと、
前記ブリッジ部の長さ方向の中間部分に一部が取り付けられることで、該ブリッジ部との間で被挟持体を挟み込んで固定する挟持部材とを備えたことを特徴とする猫用爪研ぎ器。
【請求項２】
前記爪研ぎ具は、ポールに爪研ぎ部材が周設されたもので、
前記爪研ぎ具ホルダは、前記一対の連結アーム部が前記ポールの長さ方向の両端部にそれぞれ固定されて、前記ブリッジ部の長さ方向の中間部分にナット部が設けられたもので、
前記被挟持体は、キャットケージの一部を構成する、線材を格子状に組んだパネルで、
前記挟持部材は、前記パネルの格子の内側空間を通して前記ナット部に螺合されるねじ部と、前記ブリッジ部との間で前記線材を挟み込む大判の頭部とを有し、かつ該頭部に手回し用の摘みが付いたねじ型挟持部材であることを特徴とする請求項１に記載の猫用爪研ぎ器。
【請求項３】
前記ポールは、紙製又はプラスチック製の筒体で、
前記ナット部は、その奥側の端部が、前記ブリッジ部の裏面から突出して、前記爪研ぎ具の外周面に対して当接状態又は近接状態となるように配されていることを特徴とする請求項２に記載の猫用爪研ぎ器。
【考案の詳細な説明】
【技術分野】
【０００１】
本考案は、例えば、キャットゲージなどに取り付けられる猫用爪研ぎ器に関する。
【背景技術】
【０００２】
従来、猫用爪研ぎ器として、例えば特許文献１などが知られている。
これは、爪研ぎ具と、爪研ぎ具の少なくとも一端部に設置される固定部と、固定部に対して所定角度で設置される第１挟持部と、第１挟持部との間に被挟持体（例えば、キャットケージのパネルなど）を挟持して固定する第２挟持部とを備えている。
特許文献１では、キャットゲージのパネルを構成する格子状に組まれた線材を、ケージ内側の第１挟持部とケージ外側の第２挟持部とにより挟持することで、ペットゲージに猫用爪とぎ器を固定する。
【先行技術文献】
【特許文献】
【０００３】
【特許文献１】特許第６２６０７７９号公報
【考案の開示】
【考案が解決しようとする課題】
【０００４】
しかしながら、特許文献１の猫用爪とぎ器にあっては、例えば、ポール状の爪研ぎ具をキャットケージに装着する際には、まず爪研ぎ具の長さ方向の両端部に、第１挟持部付きの一対の固定部をそれぞれ固定する。その後、離間した２対の第１，２挟持部の間に、それぞれ同一のパネルを挟み込み、この状態で、対応する第１，２挟持部同士を、各２対のボルトナット構造体を用いてそれぞれ連結する必要があった（引用文献１の図１および図２を参照）。その結果、猫用爪研ぎ器の部品点数が増加し、キャットケージへの猫用爪研ぎ器の取り付けが面倒で時間がかかっていた。
【０００５】
また、ケージ内側に配される第１挟持部は小片体であった。そのため、パネルを構成する格子状の線材との第１挟持部の接触面積は小さく、猫用爪研ぎ器をキャットケージのパネルに堅固に固定するには、上述したように１枚の第１挟持部に対して２組ずつのボルトナット構造体が必要であった。その結果、キャットケージへの猫用爪研ぎ器の取付作業を簡素化するため、猫用爪研ぎ器の部品点数を減らすことはできなかった。
【０００６】
そこで、考案者は鋭意研究の結果、爪研ぎ具を一側方から挟持する門形の爪研ぎ具ホルダと、この門形ホルダのブリッジ部（梁部、本体部）の長さ方向の中間部分に取り付けられて、ブリッジ部と協働して被挟持体を挟持する挟持部材とを備えた猫用爪研ぎ器とすれば、上述した課題はすべて解消されることを知見し、本考案を完成させた。
【０００７】
本考案は、このような問題点に鑑みてなされたもので、従来品に比べて部品点数を減少でき、また被挟持体への猫用爪研ぎ器の取り付け作業の容易化、および、この取り付け時間の短縮化がそれぞれ図れるとともに、被挟持体に対して猫用爪研ぎ器を堅固に固定することも可能な猫用爪研ぎ器を提供することを目的としている。
【課題を解決するための手段】
【０００８】
請求項１に記載の考案は、猫が爪を押し当てて研ぐための爪研ぎ具と、平板状のブリッジ部の長さ方向の両端部に配された一対の連結アーム部を介して、前記爪研ぎ具を一側方から挟み込んだ状態で支持する門形の爪研ぎ具ホルダと、前記ブリッジ部の長さ方向の中間部分に一部が取り付けられることで、該ブリッジ部との間で被挟持体を挟み込んで固定する挟持部材とを備えたことを特徴とする猫用爪研ぎ器である。
【０００９】
爪研ぎ具の種類は限定されない。例えば、縄式のもの、段ボール式のもの、布式のものなどを採用することができる。
爪研ぎ具の形状は任意である。例えば、ポール状、板状、ブロック状、シート状などでもよい。
爪研ぎ具のサイズも任意である。
爪研ぎ具の爪研ぎ具ホルダにより挟持されるのは、例えば、爪研ぎ具の長さ方向の両端部でも、津の幅方向の両端部でもよい。
【００１０】
爪研ぎ具ホルダの素材は限定されない。例えば、各種のプラスチック、各種の金属、各種の木、各種のセラミックスなどを採用することができる。
爪研ぎ具ホルダにより保持される爪研ぎ具の箇所は任意である。例えば、爪研ぎ具の長さ方向の両端部でも、爪研ぎ具の幅方向の両端部などでもよい。
各連結アーム部の形状は任意である。これらの連結アーム部は、互いに平行状態でも、そうでなくてもよい。
爪研ぎ具ホルダは、一対の連結アーム部とブリッジ部とを、分離不能に一体形成したものでも、組み立て分解可能に連結したものでもよい。
【００１１】
被挟持体は、猫用爪研ぎ器を取り付け可能なものであれば任意である。例えば、キャットケージのパネルでも、キャットタワーの床やステップでも、部屋の壁板などでもよい。
キャットケージとは、線材を格子状に組んだ複数枚のパネル（ケージパネル）を箱状に連結したものである。格子の種類は限定されない。例えば、縦格子、横格子、井桁格子、クロス格子などでもよい。
【００１２】
挟持部材としては、ブリッジ部の長さ方向の中間部分に一部が取り付けられることで、ブリッジ部との間に被挟持体を挟持した状態で、この被挟持体に爪研ぎ具を固定できるものであれば任意である。例えば、ボルト（ねじを含む）でも、クランパでもよい。ボルトの場合、ブリッジ部の長さ方向の中間部分に取り付けられる一部とは、ねじ部である。
挟持部材の素材は任意である。例えば、各種の金属、各種のプラスチック、各種のセラミックスでもよい。
挟持部材の形状は任意である。例えば、ねじ形状でもよい。
挟持部材の使用数は任意である。１つでも、２つ以上でもよい。
【００１３】
請求項２に記載の考案は、前記爪研ぎ具は、ポールに爪研ぎ部材が周設されたもので、前記爪研ぎ具ホルダは、前記一対の連結アーム部が前記ポールの長さ方向の両端部にそれぞれ固定されて、前記ブリッジ部の長さ方向の中間部分にナット部が設けられたもので、前記被挟持体は、キャットケージの一部を構成する、線材を格子状に組んだパネルで、前記挟持部材は、前記パネルの格子の内側空間を通して前記ナット部に螺合されるねじ部と、前記ブリッジ部との間で前記線材を挟み込む大判の頭部とを有し、かつ該頭部に手回し用の摘みが付いたねじ型挟持部材であることを特徴とする請求項１に記載の猫用爪研ぎ器である。
【００１４】
ポールは中実の支柱でも、中空のパイプでもよい。
ポールの断面形状は任意である。例えば、円形でも、三角形又は四角形以上の多角形などでもよい。
爪研ぎ部材としては、例えば、縄、段ボール、布などを採用することができる。
ナット部としては、ナット構造のものであれば限定されない。例えば、ブリッジ部の長さ方向の中間部に、別体の金属製又はプラスチック製のナットを埋め込んでもよい。また、ブリッジ部の製造時に、ナット部をブリッジ部と一体形成してもよい。
【００１５】
ナット部の形成数は任意である。１つでも複数でもよい。
ナット部のサイズは任意である。例えば、ナット深さがブリッジ部の板内に留まるサイズでも、ブリッジ部を貫通してブリッジ部の裏面から突出するサイズでもよい。
ねじ型挟持部材の頭部のサイズは、ブリッジ部との間で、格子状に組まれた線材を挟持可能であれば任意である。例えば、格子の隙間の１．１倍〜３倍、特に取り扱い性を考慮すれば、１．２倍〜２倍が好ましい。
ねじ型挟持部材は手回し式のものである。その頭部には摘みが形成されている。摘みの形状は任意である。
【００１６】
請求項３に記載の考案は、前記ポールは、紙製又はプラスチック製の筒体で、前記ナット部は、その奥側の端部が、前記ブリッジ部の裏面から突出して、前記爪研ぎ具の外周面に対して当接状態又は近接状態となるように配されていることを特徴とする請求項２に記載の猫用爪研ぎ器である。
【００１７】
ポールの素材としては、段ボールを含む各種の紙を採用することができる。また、各種のプラスチックでもよい。
ナット部とねじ型挟持部材との各使用数は、それぞれ２つ以上であれば任意である。
ここでいう「爪研ぎ具の外周面に対して近接状態」とは、例えば、ナット部の奥側（爪研ぎ具側）の端部と爪研ぎ具の外周面との隙間が、１ｍｍ〜３ｃｍである状態をいう。また、好ましい隙間は３ｍｍ〜１ｃｍである。さらに、このナット部の奥側の端部と、爪研ぎ具の外周面とは当接状態であってもよい。
【００１８】
また、ナット部は、ブリッジ部の長さ方向の中間部に、この長さ方向に離間して複数配された方が好ましい。その理由は、ポールが変形し易い筒体であるため、猫が長期間にわたって爪研ぎを行った際に生じ易い爪研ぎ具の後方への湾曲を、単体のナット部のときに比べて抑制できるからである。
【考案の効果】
【００１９】
本考案の猫用爪研ぎ器によれば、猫用爪研ぎ器の被挟持体への固定時には、まず、爪研ぎ具を一側方から門形の爪研ぎ具ホルダにより挟持し、その後、ブリッジ部との間に被挟持体を配した状態で、ブリッジ部の長さ方向の中間部分に挟持部材を取り付ける。これにより、被挟持体がブリッジ部と挟持部材との間で挟持され、爪研ぎ具が被挟持体に固定される。
その結果、従来品に比べて部品点数を減少でき、また被挟持体への猫用爪研ぎ器の取り付け作業が容易となり、作業時間を短縮化できる。しかも、ブリッジ部が平坦な板材であるため、被挟持体に対してブリッジ部を広範囲に押し当てて接触面積の拡大が図れるとともに、従来品に比べて、被挟持体への猫用爪研ぎ器の取り付け安定性が高まる。
【００２０】
このように、挟持部材の取り付け位置をブリッジ部の長さ方向の中間部分とした理由は、例えば、挟持部材の取り付け位置がブリッジ部の長さ方向の一端部のみの場合には、猫が、この部材の取り付け位置から最も離間したブリッジ部の他端部付近で爪研ぎを行ったとき、猫用爪研ぎ器は、猫の爪研ぎの動作に合わせて、その取り付け位置を中心にして大きく横振れ（揺動）し易い。
これに対して、挟持部材の取り付け位置をブリッジ部の長さ方向の中間部分とすれば、猫がブリッジ部の取り付け位置から最も離れた箇所（ブリッジ部の端部）で爪を研いでも、この猫用爪研ぎ器の横振れはし難い。
また、このように挟持部材の取り付け位置がブリッジ部の長さ方向の中間部分であれば、小サイズの被挟持体に猫用爪研ぎ器を固定する際にも、これを安定状態で被挟持体に固定し易くなる。
【００２１】
特に、請求項２に記載の本考案によれば、猫用爪研ぎ器のキャットケージへの固定時には、まず、爪研ぎ具に連結された爪研ぎ具ホルダのブリッジ部を、キャットケージのパネルの内面に押し当てる。その後、この状態のまま、ケージの外からねじ型挟持部材のねじ部を、パネルの格子の内側空間に差し込み、それの頭部の摘みを回してねじ部をナット部に螺合する。これにより、大判の頭部とブリッジ部との間でパネルの線材が挟持されて、猫用爪研ぎ器がキャットケージに固定される。
このように、爪研ぎ具ホルダのブリッジ部の長さ方向の中間部分にナット部を設け、かつ被挟持体として、摘みが付いた大判の頭部を有したねじ型挟持部材を採用したため、キャットケージへの猫用爪研ぎ器の固定作業時に、ドライバやスパナなどの工具が不要で、しかも簡単かつ短時間で猫用爪研ぎ器をキャットケージにしっかり固定することができる。
【００２２】
また、請求項３に記載の考案によれば、猫が爪研ぎ具に体重をかけて爪を研ぐ際には、ポールが紙製又はプラスチック製の筒体であるため、爪研ぎ具が後方へ押し込められて変形（湾曲）し、最悪の場合、爪研ぎ具が破損するおそれがある。特に、猫用爪研ぎ器を長年（長期間）使用していれば、爪研ぎ具ホルダとの連結部分にガタツキが発生し、このガタツキも影響して、その押し付け方向への爪研ぎ具の変形（湾曲、移動）の度合いは大きくなる。
しかしながら、ここでは爪研ぎ具の背後に、ブリッジ部から突出したナット部の奥側の端部が当接状態又は近接状態で配されているため、このように爪研ぎ具が変形して破損するのを防止することができる。
【００２３】
なお、ブリッジ部を厚肉化し、ナット部全体をブリッジ部に埋め込んでも同様の効果は得られる。しかしながら、この構成を採用した場合には、ブリッジ部が爪研ぎ具の背後に配置されるため、爪研ぎ具の裏側（背後）に空間がほとんど存在しない。したがって、例えば、猫がポール状の爪研ぎ具の両側部分を利用して爪を研く際にこのブリッジ部が邪魔になり、猫用爪研ぎ器を忌避するおそれがある。
【図面の簡単な説明】
【００２４】
【図１】本考案の実施例１に係る猫用爪研ぎ器の使用状態を示す斜視図である。
【図２】本考案の実施例１に係る猫用爪研ぎ器の側面図である。
【図３】本考案の実施例１に係る猫用爪研ぎ器の背面方向からの分解斜視図である。
【図４】本考案の実施例１に係る猫用爪研ぎ器の正面方向からの分解斜視図である。
【図５】本考案の実施例１に係る別形態の猫用爪研ぎ器の使用状態を示す斜視図である。
【考案を実施するための形態】
【００２５】
以下、本考案の実施例を具体的に説明する。ここでは、キャットケージのパネルに取り付けられる猫用爪研ぎ器を例とする。
【実施例】
【００２６】
図１および図２において、１０は本考案の実施例１に係る猫用爪研ぎ器で、この猫用爪研ぎ器１０は、猫が爪を押し当てて研ぐためのポール状の爪研ぎ具１１と、平板状のブリッジ部１２の長さ方向の両端部に配された一対の連結アーム部１３を介して、爪研ぎ具１１を一側方から挟み込んだ状態で支持する門形の爪研ぎ具ホルダ１４と、ブリッジ部１２の長さ方向の中間部分にそれぞれナット部１５を介して取り付けられることで、ブリッジ部１２との間にキャットケージ１６のパネル（被挟持体）１７を挟持した状態で、このパネル１７に爪研ぎ具１１を固定する一対の大判ねじ（挟持部材、ねじ型挟持部材）１８とを備えている。
【００２７】
以下、これらの構成部品を具体的に説明する。
図２に示すように、爪研ぎ具１１は、ダンボールからなる円筒状をしたポール１９の外周面全域に、麻製の紐（爪研ぎ部材）２０を巻き付けたものである。
図１〜図４に示すように、爪研ぎ具ホルダ１４は、爪研ぎ具１１の長さ方向の両端部にそれぞれ連結される一対の連結アーム部１３と、一対の摘み付きのビス２１を介して、これらの連結アーム部１３が長さ方向の両端部に各々ビス止めされるブリッジ部１２とを有したものである。
【００２８】
各連結アーム部１３はプラスチック製の部材で、爪研ぎ具１１の対応する端部に装着されるキャップ部２２と、キャップ部２２の一側部から一体的に突出した短尺な連結部２３とからなる。各連結部２３の先端面の中央部には、対応するビス２１がねじ込まれる一対のビス孔２４がそれぞれ形成されている。
ブリッジ部１２は、連結アーム部１３と同一素材からなり、かつ表面（外面）が平坦な短冊状の板材である。ブリッジ部１２の裏面全体は、軽量化を図るために陥没形成されている。
また、ブリッジ部１２の長さ方向の両端部には、表裏面を貫通して一対のビス挿通孔２５がそれぞれ形成されている。
爪研ぎ具ホルダ１４は、ブリッジ部１２の長さ方向の両端部に対応する連結アーム部１３の連結部２３を配置し、この状態のままで、一対のビス２１を、対応するビス挿通孔２５を経て各ビス孔２４にねじ込むことで組み立てられる。なお、これらのブリッジ部１２と連結アーム部１３とは、互いに分離不能に一体成形して、爪研ぎ具ホルダ１４Ａを作製してもよい（図５を参照）。
【００２９】
また、このブリッジ部１２の長さ方向の中間部には、その長さ方向の両端部分に、ブリッジ部１２と同一素材で、前記一対のナット部１５が一体形成されている。
各ナット部１５は、その先端開口がブリッジ部１２の表面と面一であるとともに、各ナット部１５の奥側の端部１５ａは、ブリッジ部１２の裏面からそれぞれ突出している。これらの突出長さは、爪研ぎ具ホルダ１４の爪研ぎ具１１装着時、各ナット部１５の奥側の端部１５ａが、爪研ぎ具１１の外周面近くに配される長さ（ここでは１ｃｍ）である。
【００３０】
図１に示すように、キャットケージ１６とは、線材２５を横長な井桁格子状に組んだ多数枚のプラスチック製のパネル１７を、箱形状に連結した猫用の檻である。
このうち、ブリッジ部１２と大判ねじ１８との間で挟持されるパネル１７は、キャットケージ１６の一側方に配されたものである。
図３に示すように、各大判ねじ１８は、パネル１７の格子の内側空間を通してナット部１５に螺合されるねじ部１８ａ（一部）と、ブリッジ部１２との間で線材２５を挟持する大判の頭部１８ｂとを有したプラスチック製の部材である。各頭部１８ｂには、手回し用の摘み１８ｃがそれぞれ一体成形されている。
頭部１８ｂの直径は、井桁格子の短尺な辺の長さ（２ｃｍ）の１．５倍となる、３ｃｍである。
【００３１】
次に、図１〜図４を参照して、実施例１の猫用爪研ぎ器１０の使用方法を説明する。
図１〜図４に示すように、猫用爪研ぎ器１０のパネル１７への固定時には、あらかじめ、爪研ぎ具１１を一側方から門形の爪研ぎ具ホルダ１４により支持（固定）する。具体的には、爪研ぎ具（ポール１９）１１の長さ方向の両端部に、対応する連結アーム部１３のキャップ部２２をそれぞれ装着する。このとき、必要であれば一方のビス２１を緩める。
その後、キャットケージ１６のパネル１７の内面にブリッジ部１２の平坦な表面を押し当て、この状態のまま、キャットケージ１６の外から大判ねじ１８のねじ部１８ａを、パネル１７の格子の内側空間に差し込み、それらの頭部１８ｂの摘み１８ｃを回して各ねじ部１８ａを対応するナット部１５にそれぞれ螺合する。これにより、大径な頭部１８ｂとブリッジ部１２との間でパネル１７の線材２５がしっかりと挟持される。その結果、猫用爪研ぎ器１０をキャットケージ１６に堅固に固定することができる。
【００３２】
その結果、従来品に比べて部品点数を減少でき、またパネル１７への猫用爪研ぎ器１０の取り付け作業が容易となり、作業時間を短縮できる。しかも、ブリッジ部１２が平坦な板材であるため、パネル１７に対してブリッジ部１２を広範囲に押し当てて接触面積の拡大が図れ、従来品に比べて、パネル１７への猫用爪研ぎ器１０の取り付け安定性が高まる。
また、ここでは爪研ぎ具ホルダ１４のブリッジ部１２の長さ方向の中間部分に一対のナット部１５を設け、かつ挟持部材として摘み１８ｃ付きの大判ねじ１８を採用（ここでは、ブリッジ部１２と連結部２３とを連結するビスとして、摘み付きのビス２１も採用）したため、キャットケージ１６への猫用爪研ぎ器１０の固定作業時に、ドライバやスパナなどの工具が不要で、簡単かつ短時間で猫用爪研ぎ器１０をキャットケージ１６に堅固に固定することができる。
【００３３】
このように、パネル１７の取り付け位置をブリッジ部１２の長さ方向の中間部分とした理由は、例えば、大判ねじ１８の取り付け位置がブリッジ部１２の長さ方向の一端部のみの場合、仮に、猫がこの大判ねじ１８の取り付け位置から最も離間したブリッジ部１２の他端部付近で爪研ぎを行えば、猫用爪研ぎ器１０は、猫の爪研ぎの動作に合わせて、その取り付け位置を中心にして大きく横振れ（揺動）するおそれがある。
これに対して、この大判ねじ１８の取り付け位置を、実施例１のようにブリッジ部１２の長さ方向の中間部分とすれば、猫がブリッジ部１２の取り付け位置から最も離れた箇所（ブリッジ部１２の端部）で爪を研いでも、この猫用爪研ぎ器１０は横振れし難い。
また、大判ねじ１８の取り付け位置がブリッジ部１２の長さ方向の中間部分であれば、小サイズの被挟持体（例えば、板片など）に猫用爪研ぎ器１０を固定する際にも、これを安定状態で小サイズの被挟持体にしっかりと固定し易くなる。
【００３４】
次に、キャットケージ１６に固定後、この猫用爪研ぎ器１０の使用時には、ケージ内の猫が、この猫用爪研ぎ器１０を利用して爪研ぎを行う。一般的に猫は、爪研ぎ具１１に体重をかけた状態で爪を研ぐ。このとき、爪研ぎ具１１の本体であるポール１９は段ボール製の筒体であるため、爪研ぎ具１１が後方へ押し込められて変形（湾曲）するおそれがある。特に、猫用爪研ぎ器１０を長年（長期間）使用していれば、爪研ぎ具ホルダ１４との連結部分にガタツキが発生し易く、このガタツキも影響して、その押し付け方向への爪研ぎ具１１の変形（湾曲、移動）の度合いは大きくなる。
しかしながら、この猫用爪研ぎ器１０の爪研ぎ具１１の背後近くには、ブリッジ部１２から突出したナット部１５の奥側の端部１５ａが配されているため、このように爪研ぎ具１１が変形して、猫用爪研ぎ器１０が破損するのを防止（阻止）することができる。
【００３５】
なお、仮にブリッジ部を厚肉化し、ナット部全体をブリッジ部に埋め込んでも同様の効果は得られる。しかしながら、この構成を採用した場合には、例えば、猫がポール状の爪研ぎ具の両側部分を利用して爪研ぎを行おうとしても、ブリッジ部の裏側が爪研ぎ具の背後近くに配されているため、爪研ぎ具の裏側（背後）には殆ど空間が存在せず、猫はブリッジ部が邪魔になって爪を研ぎ難くい。その結果、猫はこの猫用爪研ぎ器を忌避するおそれがあり、かつ猫用爪研ぎ器が重くなるとともに、コスト高にもなる。これらから、ブリッジ部を厚肉化し、ナット部全体をブリッジ部に埋め込む構成は好ましくない。
【産業上の利用可能性】
【００３６】
本考案は、例えば、キャットゲージのパネルなどに固定される猫用爪研ぎ器の技術として有用である。
【符号の説明】
【００３７】
１０  猫用爪研ぎ器
１１  爪研ぎ具
１２  ブリッジ部
１３  連結アーム部
１４  爪研ぎ具ホルダ
１５  ナット部
１５ａ  端部
１６  キャットケージ
１７  パネル（被挟持体）
１８  大判ねじ（挟持部材、ねじ型挟持部材）
１８ａ  ねじ部
１８ｂ  頭部
１８ｃ  摘み
１９  ポール
２０  爪研ぎ部材
２５  線材
【図１】
0003230644.tif 000003
【図２】
0003230644.tif 000004
【図３】
0003230644.tif 000005
【図４】
0003230644.tif 000006
【図５】
0003230644.tif 000007